【手続補正書】
【提出日】平成28年8月10日(2016.8.10)
【手続補正１】
【補正対象書類名】明細書
【補正対象項目名】００２４
【補正方法】変更
【補正の内容】
【００２４】
２．実施の形態
図４は実施の形態に係る表示装置を示す図である。表示装置１００Ｚは、表示用電極とタッチセンス用電極とが共用するようにされる電極ＣＴと、電極ＣＴを駆動する駆動回路２１０Ｚとを有する。駆動回路２１０Ｚは、電極ＣＴに接続される第１の薄膜トランジスタＴＲ１と、電極ＣＴに接続される第２の薄膜トランジスタＴＲ２とを有する。第１および第２の薄膜トランジスタＴＲ１，ＴＲ２は単チャネルの薄膜トランジスタである。第１の薄膜トランジスタＴＲ１は電極ＣＴをタッチセンス用として使用するときに導通して、第１の信号ＶＣ１を電極ＣＴに伝送する。第２の薄膜トランジスタＴＲ２は電極ＣＴを表示用として使用するときに道通して、第２の信号ＶＣ２を電極ＣＴに伝送する。第１の薄膜トランジスタＴＲ１を第１の信号ＶＣ１が伝送するときにそのゲート電極Ｇ１に印加される電圧ＶＧ１は、第２の薄膜トランジスタＴＲ２を第２の信号ＶＣ２が伝送するときにそのゲート電極Ｇ２に印加される電圧ＶＧ２より大きい。
【手続補正２】
【補正対象書類名】明細書
【補正対象項目名】００７３
【補正方法】変更
【補正の内容】
【００７３】
スイッチ回路ＣＳＷｉでは、出力信号線ＳＲＯＵＴｉがハイ電圧のときは、第４のノードＮｄと第５のノードＮｅが導通しており、先に第２の選択信号線ＶＣＯＭＳＥＬ２をロー電圧にしてから、第１の選択信号線ＶＣＯＭＳＥＬ１をハイ電圧にして、薄膜トランジスタＴ９のゲート電極を昇圧する必要がある。一方、スイッチ回路ＣＳＷＣｉでは、ダイオード接続された薄膜トランジスタＴ２２，Ｔ２３によって、第４のノードＮｄと第５のノードＮｅは分離されているので、第１の選択信号線ＶＣＯＭＳＥＬ１と第２の選択信号線ＶＣＯＭＳＥＬ２の位相差を考慮する必要がなく、回路設計が容易になる。
【手続補正３】
【補正対象書類名】特許請求の範囲
【補正対象項目名】全文
【補正方法】変更
【補正の内容】
【特許請求の範囲】
【請求項１】
表示装置は、
表示用電極とタッチセンス用電極とが共用するようにされる電極と、
前記電極を駆動する駆動回路と、
を有し、
前記駆動回路は、
単チャネル薄膜トランジスタで構成され、
前記電極に接続される第１の薄膜トランジスタと、
前記電極に接続される第２の薄膜トランジスタと、
を有し、
前記第１の薄膜トランジスタは前記電極をタッチセンス用として使用するときに導通して、第１の信号を前記電極に伝送し、
前記第２の薄膜トランジスタは前記電極を表示用として使用するときに導通して、第２の信号を前記電極に伝送し、
前記第１の薄膜トランジスタを前記第１の信号が伝送するときにそのゲート電極に印加される電圧は、前記第２の薄膜トランジスタを前記第２の信号が伝送するときにそのゲート電極に印加される電圧より大きい。
【請求項２】
請求項１の表示装置は、さらに
前記第１の薄膜トランジスタのゲート電極の電圧を昇圧する第１の回路を有し、
前記第１の回路は、前記第１の薄膜トランジスタを前記第１の信号が伝送するときにそのゲート電極に印加される電圧を、前記第２の薄膜トランジスタを前記第２の信号が伝送するときにそのゲート電極に印加される電圧より大きくする。
【請求項３】
請求項２の表示装置において、
前記第１の回路はダイオード接続された第３の薄膜トランジスタで構成され、前記第３の薄膜トランジスタのカソード電極は前記第１の薄膜トランジスタのゲート電極に接続される。
【請求項４】
請求項３の表示装置は、さらに
前記第１の薄膜トランジスタのゲート電極と前記第３の薄膜トランジスタのカソード電極とが接続された第１のノードを放電する第２の回路を有する。
【請求項５】
請求項４の表示装置は、さらに
第４の薄膜トランジスタと、
第５の薄膜トランジスタと、
を有し、
前記第４および第５の薄膜トランジスタのゲート電極にはシフトレジスタの出力信号が印加され、
前記第４の薄膜トランジスタの第１の電極はタッチ用駆動信号を選択する第１の選択信号線に接続され、
前記第４の薄膜トランジスタの第２の電極は前記第３の薄膜トランジスタのアノード電極に接続され、
前記第５の薄膜トランジスタの第１の電極は表示用対向電圧を選択する第２の選択信号線に接続され、
前記第５の薄膜トランジスタの第２の電極は前記第２の薄膜トランジスタのゲート電極に接続される。
【請求項６】
請求項５の表示装置は、さらに
前記第２の薄膜トランジスタのゲート電極と前記第５の薄膜トランジスタの一方電極とが接続される第２のノードを放電する第３の回路と、
前記第３の薄膜トランジスタのアノード電極と前記第４の薄膜トランジスタの第２の電極とが接続される第３のノードを放電する第４の回路と、
を有する。
【請求項７】
請求項６の表示装置は、さらに
前記第２のノードを初期化する第５の回路と、
前記第２のノードを安定化する第６の回路と、
を有する。
【請求項８】
請求項７の表示装置は、さらに
前記シフトレジスタの出力信号を受ける入力回路を有し、
前記入力回路は前記第４および第５の薄膜トランジスタのそれぞれのゲート電極に接続される。
【請求項９】
請求項８の表示装置において、
前記入力回路は第６および第７の薄膜トランジスタを有し、
前記第６の薄膜トランジスタの第１の電極は前記シフトレジスタの出力信号線に接続され、
前記第６の薄膜トランジスタの第２の電極は前記第４の薄膜トランジスタのゲート電極に接続され、
前記第７の薄膜トランジスタの第１の電極は前記シフトレジスタの出力信号線に接続され、
前記第７の薄膜トランジスタの第２の電極は前記第５の薄膜トランジスタのゲート電極に接続される。
【請求項１０】
請求項９の表示装置において、
前記第６の薄膜トランジスタの前記第１の電極とゲート電極とが接続され、
前記第７の薄膜トランジスタの前記第１の電極とゲート電極とが接続される。
【請求項１１】
請求項１から請求項１０のいずれか１項の表示装置において、
前記駆動回路は前記電極の両側に配置され、前記電極は両側の前記駆動回路によって駆動される。
【請求項１２】
表示装置は、
画素用薄膜トランジスタと、
表示用電極とタッチセンス用電極とが共用するようにされる対向電極と、
前記対向電極を駆動する駆動回路と、
を有し、
前記駆動回路は、
前記画素用薄膜トランジスタと同じチャネル型の薄膜トランジスタで構成され、
前記対向電極に接続される第１の薄膜トランジスタと、
前記対向電極に接続される第２の薄膜トランジスタと、
前記第１の薄膜トランジスタのゲート電極の電圧を昇圧する第１の回路と、
を有し、
前記第１の薄膜トランジスタは前記対向電極をタッチセンス用として使用するときに導通して、駆動信号を前記対向電極に伝送し、
前記第２の薄膜トランジスタは前記対向電極を表示用として使用するときに導通して、対向電圧を前記対向電極に伝送し、
前記第１の薄膜トランジスタを前記駆動信号が伝送するときにそのゲート電極に印加される電圧を、前記第２の薄膜トランジスタを前記対向電圧が伝送するときにそのゲート電極に印加される電圧より大きくする。
【請求項１３】
請求項１２の表示装置において、
前記第１の回路はダイオード接続された第３の薄膜トランジスタで構成され、前記第３の薄膜トランジスタのカソード電極は前記第１の薄膜トランジスタのゲート電極に接続される。
【請求項１４】
請求項１３の表示装置は、さらに
第４の薄膜トランジスタと、
第５の薄膜トランジスタと、
を有し、
前記第４および第５の薄膜トランジスタのゲート電極にはシフトレジスタの出力信号が印加される入力回路が接続され、
前記第４の薄膜トランジスタの第１の電極はタッチ用駆動信号を選択する第１の選択信号線に接続され、
前記第４の薄膜トランジスタの第２の電極は前記第３の薄膜トランジスタのアノード電極に接続され、
前記第５の薄膜トランジスタの第１の電極は表示用対向電圧を選択する第２の選択信号線に接続され、
前記第５の薄膜トランジスタの第２の電極は前記第２の薄膜トランジスタのゲート電極に接続される。
【請求項１５】
請求項１４の表示装置は、さらに
前記第１の薄膜トランジスタのゲート電極と前記第３の薄膜トランジスタのカソード電極とが接続された第１のノードを放電する第２の回路を有する。
【請求項１６】
請求項１５の表示装置は、さらに
前記第２の薄膜トランジスタのゲート電極と前記第５の薄膜トランジスタの一方電極とが接続される第２のノードを放電する第３の回路と、
前記第３の薄膜トランジスタのアノード電極と前記第４の薄膜トランジスタの第２の電極とが接続される第３のノードを放電する第４の回路と、
を有する。
【請求項１７】
請求項１６の表示装置は、さらに
前記第２のノードを初期化する第５の回路と、
前記第２のノードを安定化する第６の回路と、
を有する。
【請求項１８】
請求項１４の表示装置において、
前記入力回路は第６および第７の薄膜トランジスタを有し、
前記第６の薄膜トランジスタの第１の電極は前記シフトレジスタの出力信号線に接続され、
前記第６の薄膜トランジスタの第２の電極は前記第４の薄膜トランジスタのゲート電極に接続され、
前記第７の薄膜トランジスタの第１の電極は前記シフトレジスタの出力信号線に接続され、
前記第７の薄膜トランジスタの第２の電極は前記第５の薄膜トランジスタのゲート電極に接続される。
【請求項１９】
請求項１８の表示装置において、
前記第６の薄膜トランジスタの前記第１の電極とゲート電極とが接続され、
前記第７の薄膜トランジスタの前記第１の電極とゲート電極とが接続される。
【請求項２０】
請求項１２から請求項１９のいずれか１項の表示装置において、
前記駆動回路は前記対向電極の両側に配置され、前記対向電極は両側の前記駆動回路によって駆動される。